【手続補正書】
【提出日】平成24年5月14日(2012.5.14)
【手続補正１】
【補正対象書類名】特許請求の範囲
【補正対象項目名】全文
【補正方法】変更
【補正の内容】
【特許請求の範囲】
【請求項１】
多値画像データを出力装置用の画像データに変換する画像処理装置であって、
前記多値画像データを画素単位に入力する入力手段と、
入力した画素データを着目画素データとし、当該着目画素データをディザ処理するディザ処理手段と、
前記着目画素データを前記ディザ処理手段が用いたディザ処理とは異なるハーフトーン処理するハーフトーン処理手段と、
前記着目画素データを含み、前記着目画素から予め設定された距離内に位置する画素群の空間における周波数に基づき、前記ディザ処理手段、前記ハーフトーン処理手段の混合比率を決定する混合比率決定手段と、
該混合比率決定手段で決定した混合比率に従って、前記着目画素データに対する、前記ディザ処理手段で得られた画素値と、前記ハーフトーン処理手段で得られた画素値とを混合し、出力する混合処理手段と
を備えることを特徴とする画像処理装置。
【請求項２】
前記ハーフトーン処理手段は、周期性のない階調再現手法を用いることを特徴とする請求項１に記載の画像処理装置。
【請求項３】
前記ハーフトーン処理手段は、誤差拡散法であることを特徴とする請求項２に記載の画像処理装置。
【請求項４】
前記混合比率決定手段は、
前記着目画素から予め設定された距離内に位置する画素群の値から、周波数空間におけるパワースペクトルを算出する手段と、
算出したパワースペクトルの周波数で示される周期が、前記ディザ処理手段によるディザ処理で用いるディザマトリクスで表わされる周期に近いほど、ディザ処理手段で得られた画素値に対する混合比率を小さくする比率を決定する手段と
を含むことを特徴とする請求項１乃至３の何れか一項に記載の画像処理装置。
【請求項５】
前記混合比率決定手段は、
パターンマッチングするための複数のパターンと、各パターンに対する前記混合比率とを記憶する記憶手段と、
前記着目画素を含む予め設定された距離内に位置する画素群と該記憶手段に記憶された各パターンとのパターンマッチングを行ない、マッチングする度合が最大のパターンに対して設定さた混合比率を決定するパターンマッチング手段と
を含むことを特徴とする請求項１乃至３の何れか一項に記載の画像処理装置。
【請求項６】
前記混合比率決定手段は、第１の混合比率決定手段、第２の混合比率決定手段、及び、該第１、第２の混合比率決定手段で決定した前記ディザ処理手段で得られた画素値に対するそれぞれの混合比率を比較し、小さい方を前記ディザ処理手段で得られた画素値に対する最終的な混合比率として決定する手段を備え、
前記第１の混合比率決定手段は、
前記着目画素から予め設定された距離内に位置する画素群の値から、周波数空間におけるパワースペクトルを算出する手段と、
算出したパワースペクトルの周波数で示される周期が、前記ディザ処理手段によるディザ処理で用いるディザマトリクスで表わされる周期に近いほど、ディザ処理手段で得られた画素値に対する混合比率を小さくする比率を決定する手段とを含み、
前記第２の混合比率決定手段は、
パターンマッチングするための複数のパターンと、各パターンに対する前記混合比率とを記憶する記憶手段と、
前記着目画素を含む予め設定された距離内に位置する画素群と該記憶手段に記憶された各パターンとのパターンマッチングを行ない、マッチングする度合が最大のパターンに対して設定さた混合比率を決定するパターンマッチング手段とを含む
ことを特徴とする請求項１乃至３の何れか一項に記載の画像処理装置。
【請求項７】
前記出力装置は、ＰＷＭ方式により画像を形成することを特徴とする請求項１乃至６の何れか一項に記載の画像処理装置。
【請求項８】
前記出力装置は、レーザービームプリンタ、ＬＥＤプリンタ、複写機のいずれかであることを特徴とする請求項１乃至７の何れか一項に記載の画像処理装置。
【請求項９】
多値画像データを出力装置用の画像データに変換する画像処理装置であって、
前記多値画像データを画素単位に入力する入力手段と、
入力した画素データを着目画素データとし、当該着目画素データをディザ処理して得られる第一の画素値と、前記着目画素データを前記ディザ処理とは異なるハーフトーン処理して得られる第二の画素値とを混合し、出力する混合処理手段とを有し、
混合処理手段は、前記着目画素データを含み、前記着目画素から予め設定された距離内に位置する画素群の空間における周波数に基づいて決定される混合比率に従って、出力値を決定することを特徴とする画像処理装置。
【請求項１０】
多値画像データを出力装置用の画像データに変換する画像処理装置の制御方法であって、
入力手段が、前記多値画像データを画素単位に入力する入力工程と、
ディザ処理手段が、入力した画素データを着目画素データとし、当該着目画素データをディザ処理するディザ処理工程と、
ハーフトーン処理手段が、前記着目画素データを前記ディザ処理工程で用いたディザ処理とは異なるハーフトーン処理するハーフトーン処理工程と、
前記着目画素データを含み、前記着目画素から予め設定された距離内に位置する画素群の空間における周波数に基づき、前記ディザ処理工程、前記ハーフトーン処理工程の混合比率を決定する混合比率決定工程と、
該混合比率決定工程で決定した混合比率に従って、前記着目画素データに対する、前記ディザ処理工程で得られた画素値と、前記ハーフトーン処理工程で得られた画素値とを混合し、出力する混合処理工程と
を備えることを特徴とする画像処理装置の制御方法。
【請求項１１】
多値画像データを出力装置用の画像データに変換する画像処理装置の制御方法であって、
入力手段が、前記多値画像データを画素単位に入力する入力工程と、
混合処理手段が、入力した画素データを着目画素データとし、当該着目画素データをディザ処理して得られる第一の画素値と、前記着目画素データを前記ディザ処理とは異なるハーフトーン処理して得られる第二の画素値とを混合し、出力する混合処理工程とを有し、
前記混合処理工程は、前記着目画素データを含み、前記着目画素から予め設定された距離内に位置する画素群の空間における周波数に基づいて決定される混合比率に従って、出力値を決定することを特徴とする画像処理装置の制御方法。
【請求項１２】
コンピュータに読み込ませ実行させることで、前記コンピュータを、請求項１乃至９のいずれか１項に記載の画像処理装置として機能させることを特徴とするコンピュータプログラム。
【請求項１３】
請求項１２に記載のコンピュータプログラムを格納したことを特徴とするコンピュータ可読記憶媒体。
【手続補正２】
【補正対象書類名】明細書
【補正対象項目名】００１３
【補正方法】変更
【補正の内容】
【００１３】
かかる課題を解決するため、例えば本発明の画像処理装置は以下の構成を備える。すなわち、
多値画像データを出力装置用の画像データに変換する画像処理装置であって、
前記多値画像データを画素単位に入力する入力手段と、
入力した画素データを着目画素データとし、当該着目画素データをディザ処理するディザ処理手段と、
前記着目画素データを前記ディザ処理手段が用いたディザ処理とは異なるハーフトーン処理するハーフトーン処理手段と、
前記着目画素データを含み、前記着目画素から予め設定された距離内に位置する画素群の空間における周波数に基づき、前記ディザ処理手段、前記ハーフトーン処理手段の混合比率を決定する混合比率決定手段と、
該混合比率決定手段で決定した混合比率に従って、前記着目画素データに対する、前記ディザ処理手段で得られた画素値と、前記ハーフトーン処理手段で得られた画素値とを混合し、出力する混合処理手段とを備える。